(57)【要約】【課題】従来の一般的な構成のサブノズルと比べ、同じ供給圧力に対する緯糸の搬送力が向上し、それにより、空気消費量を可及的に低減させることのできる空気噴射式織機のサブノズルを提供すること。【解決手段】一端が開放されて圧縮空気の供給源に連結される筒状部と、該筒状部の他端側に形成されると共に噴射孔を有する扁平部であって互いに対向する前壁部及び後壁部を側壁部で繋ぐことで中空管状に形成されると共に前記側壁部によって先端部が閉塞された扁平部とで構成された空気噴射式織機のサブノズルにおいて、前記扁平部における前記前壁部は、前記前壁部の外側面における前記先端部の側に形成された先端側平面部であって前記先端部に向かうにつれて前記後壁部側に近付くように傾斜する先端側平面部を有するように形成されており、前記噴射孔は、前記先端側平面部と前記側壁部とに跨がるように形成されている。【選択図】      図５
2020063546.tif 000002
【特許請求の範囲】
【請求項１】
一端が開放されて圧縮空気の供給源に連結される筒状部と、該筒状部の他端側に形成されると共に噴射孔を有する扁平部であって互いに対向する前壁部及び後壁部を側壁部で繋ぐことで中空管状に形成されると共に前記側壁部によって先端部が閉塞された扁平部とで構成された空気噴射式織機のサブノズルにおいて、
前記扁平部における前記前壁部は、前記前壁部の外側面における前記先端部の側に形成された先端側平面部であって前記先端部に向かうにつれて前記後壁部側に近付くように傾斜する先端側平面部を有するように形成されており、
前記噴射孔は、前記先端側平面部と前記側壁部とに跨がるように形成されている
ことを特徴とする空気噴射式織機のサブノズル。
【請求項２】
前記噴射孔は、前記前壁部を正面から見て、中心の位置がサブノズルの中心軸線よりも筬側の位置となるように、且つ、側壁部の外側縁の内側に位置する内側面の部分との距離であって前記部分のうちの最も近い部分との距離が０．２５ｍｍ以下となるように形成されている
ことを特徴とする請求項１に記載の空気噴射式織機のサブノズル。
【請求項３】
前記噴射孔は、その内周面が内側面に向けて孔径を漸次拡径するように形成された部分であるテーパ部を有するように形成されている
ことを特徴とする請求項１乃至２に記載の空気噴射式織機のサブノズル。
【請求項４】
前記噴射孔は、サブノズルの表面に開口した部分である開口部の面積全体に対する前記側壁部に開口した部分の面積の割合が３％〜２０％である
ことを特徴とする請求項１乃至３に記載の空気噴射式織機のサブノズル。
【発明の詳細な説明】
【技術分野】
【０００１】
本発明は、一端が開放されて圧縮空気の供給源に連結される筒状部と、該筒状部の他端側に形成されると共に噴射孔を有する扁平部であって互いに対向する前壁部及び後壁部を側壁部で繋ぐことで中空管状に形成されると共に前記側壁部によって先端部が閉塞された扁平部とで構成された空気噴射式織機のサブノズルに関する。
【背景技術】
【０００２】
前記のような空気噴射式織機のサブノズルの一例が、特許文献１に開示されている。また、この特許文献１に開示された空気噴射式織機のサブノズルは、緯糸の搬送力を向上させることを目的として、噴射孔の中心の位置がサブノズルの中心軸線に対する偏心した位置となるように噴射孔が形成された構成となっている。具体的には、特許文献１に開示された空気噴射式織機のサブノズルは、筬の緯糸案内溝内を飛走する緯糸と噴射孔との距離が従来の一般的な構成のサブノズルよりも短い距離となるように、噴射孔の中心の位置がサブノズルの中心軸線よりも筬側となるように形成された構成となっている。
【先行技術文献】
【特許文献】
【０００３】
【特許文献１】特開平８−６０４９２号公報
【発明の概要】
【発明が解決しようとする課題】
【０００４】
ところで、従来の一般的な構成（以下、「一般構成」と言う）のサブノズルでは、所望の緯糸の搬送力を得ながら空気消費量を低減させることに限界があるという問題があった。
【０００５】
詳しくは、前記一般構成は、噴射孔の形成される部分の肉厚が非常に薄く、その肉厚が０．５ｍｍ以下のものが一般的である。したがって、その前記一般構成では、噴射孔における軸線方向の長さが短く、噴射孔の直径に対する前記軸線方向の長さの割合が非常に小さくなっている。そのため、前記一般構成では、噴射孔から噴射される空気流の拡散の度合いが高くなり、供給される圧縮空気の圧力（以下、「供給圧力」と言う。）に対する緯糸の搬送力が小さいものとなっている。
【０００６】
そのため、前記一般構成を採用した場合において、所望の緯糸の搬送力が得られるようにするためには、供給圧力を高める必要があり、その結果として、空気消費量が増加してしまう、言い換えれば、所望の緯糸の搬送力を得る上では空気消費量が増加せざるを得ない（低減できない）という問題があった。
【０００７】
なお、その問題は、特許文献１に開示されたようなサブノズルの中心軸線に対して噴射孔の中心の位置を偏心させた構成（以下、「従来構成」と言う）であっても、噴射孔の形成される部分の肉厚が非常に薄いという点が前記一般構成と同じであるため、同じように発生する。
【０００８】
そこで、本発明は、前記一般構成や前記従来構成と比べ、同じ供給圧力であってもより大きい緯糸の搬送力を得られるものとし、それにより、空気消費量を可及的に低減させることのできる空気噴射式織機のサブノズルを提供することを目的とする。
【課題を解決するための手段】
【０００９】
本発明は、一端が開放されて圧縮空気の供給源に連結される筒状部と、該筒状部の他端側に形成されると共に噴射孔を有する扁平部であって互いに対向する前壁部及び後壁部を側壁部で繋ぐことで中空管状に形成されると共に前記側壁部によって先端部が閉塞された扁平部とで構成された空気噴式織機のサブノズルを前提とする。その上で、前記の目的を達成すべく、本発明は、その前提とする空気噴射式織機のサブノズルにおいて、前記扁平部における前記前壁部は、前記前壁部の外側面における前記先端部の側に形成された先端側平面部であって前記先端部に向かうにつれて前記後壁部側に近付くように傾斜する先端側平面部を有するように形成されており、前記噴射孔は、前記先端側平面部と前記側壁部とに跨がるように形成されていることを特徴とする。
【００１０】
なお、本発明で言う「先端側平面部」は、前壁部の外側面における前記先端部の側に形成された平面状の部分を指すが、その平面状の部分は、単に平面に形成されたものに限らず、曲面に形成されたものであってもよく、その曲面の曲率半径が扁平部における他の部分（側壁部等）のそれに比べて十分に大きい略平面に形成された部分が前記平面状の部分であり、その略平面が「先端側平面部」である。なお、その「先端側平面部」の範囲については、普通幾何公差における平面度を用いて定義することができる。具体的には、「先端側平面部」の範囲は、０．０２ｍｍの間隔をあけた平行な二平面の間に収まる範囲であり、所謂平面度の公差等級がＨ等級となる範囲である。
【００１１】
また、本発明で言う「噴射孔」は、単一の孔によって形成されたものに限らず、噴射孔が形成されるべき領域に複数の孔を形成し、その複数の孔の集合によって構成されたものを含む。そして、その場合、噴射孔が形成された位置は、その複数の孔が形成された前記領域であり、その前記領域の中心の位置が噴射孔の中心の位置となる。
【００１２】
また、本発明の空気噴射式織機のサブノズルにおいては、前記噴射孔は、前記前壁部を正面から見て、中心の位置がサブノズルの中心軸線よりも筬側の位置となるように、且つ、前記側壁部の外側縁の内側に位置する内側面の部分である内側縁との距離であって前記内側縁のうちの最も近い部分との距離が０．２５ｍｍ以下となるように形成されていてもよい。
【００１３】
また、本発明の空気噴射式織機のサブノズルにおいては、前記噴射孔は、その内周面が内側面に向けて孔径を漸次拡径するように形成された部分であるテーパ部を有するように形成されていてもよい。
【００１４】
また、本発明の空気噴射式織機のサブノズルにおいては、前記噴射孔は、サブノズルの表面に開口した部分である開口部の面積全体に対する前記側壁部に開口した部分の面積の割合が３％〜２０％であってもよい。
【発明の効果】
【００１５】
本発明の空気噴射式織機のサブノズルによれば、噴射孔が前記先端側平面部と前記側壁部とに跨がるように形成されているため、前記一般構成や前記従来構成と比べ、同じ供給圧力に対する緯糸の搬送力が向上する。
【００１６】
詳しくは、前記のようにサブノズルの側壁部は前壁部と後壁部とを繋ぐ部分であることから、前壁部における先端側平面部の肉厚方向とその先端側平面部に繋がる側壁部の部分の肉厚方向とは異なっている。また、サブノズルの噴射孔は、前壁部における前記先端側平面部が形成されている部分の肉厚方向を基準として（軸線の方向とその肉厚方向とを一致させて、あるいは概ね一致させて）形成される。したがって、そのように形成される噴射孔の軸線は、側壁部の前記部分の肉厚方向に対しては、前壁部の前記部分の肉厚方向に対し為す角度よりも大きく角度を為している。そこで、そのような噴射孔を先端側平面部と側壁部とに跨がるように形成すると、その噴射孔は、側壁部に対しては前記のように大きく角度を為した状態で形成された状態となる。
【００１７】
それにより、その噴射孔における先端側平面部に開口した部分の軸線方向における長さは従来と同様にサブノズル（前壁部の前記部分）の肉厚とほぼ同じであるが、側壁部に開口した部分における軸線方向の長さはサブノズル（側壁部の前記部分）の肉厚よりも長くなる。したがって、そのような噴射孔によれば、前記一般構成や前記従来構成と比べ、一部ではあるが噴射孔の軸線方向における寸法が拡大されたものとなるため、噴射孔から噴射される空気流の集束性が高まり、同じ供給圧力に対する緯糸の搬送力が向上する。そして、その結果として、供給圧力をより低い圧力として所定の緯糸搬送力を得ることが可能となり、空気消費量を可及的に低減させることができる。
【００１８】
また、本発明の空気噴射式織機のサブノズルにおいて、噴射孔を前記距離が０．２５ｍｍ以下となる位置に形成することにより、その噴射孔における側壁部に開口した部分がより多いかたちとなるため、その噴射孔は、その軸線方向における長さがサブノズルの肉厚よりも長い部分がより多いものとなる。それにより、前述した緯糸の搬送力を向上するという効果を得ることがより高い程度で実現され、より効果的に空気消費量を低減させることができる。
【００１９】
また、噴射孔を、前記のようなテーパ部を有するように形成することにより、前記外側面側へ向けて漸次縮径される前記テーパ部を空気流が通過するのに伴ってその空気流の流速が増速される。それにより、筬の緯糸案内溝内を飛走する緯糸の位置における前記流速も増速されるので、噴射孔が前記のようなテーパ部を有さない構成と比べ、同じ供給圧力に対する緯糸の搬送力が向上し、空気消費量を低減させることができる。
【００２０】
また、前記側壁部に開口した部分の面積の割合が３％〜２０％となるように噴射孔を形成することにより、噴射孔の孔径の大きさに関係なく、その噴射孔における側壁部に開口した部分の割合が所定の割合となる。それにより、前述した空気消費量を低減させることができるという効果を得ることが、サブノズルの構成に関係なく、常に所望の程度で実現される。
【図面の簡単な説明】
【００２１】
【図１】本発明が適用される空気噴射式織機の正面図である。
【図２】図１のＡ矢視図である。
【図３】本発明の空気噴射式織機におけるサブノズルの正面図である。
【図４】図３の側面図である。
【図５】図３のＢ部拡大図である。
【図６】図５のＤ−Ｄ断面図である。
【図７】本発明の空気噴射式織機のサブノズルについて、サブノズルから噴射される圧縮空気の風速と最短距離Ｃとの関係を示すグラフであり、（ａ）は噴射孔の外側開口部の孔径が１．６ｍｍ、（ｂ）はその孔径が１．７ｍｍの場合である。
【図８】本発明の空気噴射式織機のサブノズルについて、サブノズルから噴射される圧縮空気の風速と噴射孔の面積割合との関係を示すグラフである。
【図９】本発明の空気噴射式織機におけるサブノズルの別の実施形態を示す部分断面図である。
【発明を実施するための形態】
【００２２】
図１及び図２に示すように、本発明のサブノズルが適用される空気噴射式織機は、緯入れ用のメインノズル１、及びメインノズル１から打ち出された緯糸の飛走を助勢すべく緯糸の飛走経路にそって複数配置されたサブノズル２を備えている。また、その空気噴射式織機は、緯入れされた緯糸を織布の織前に対し筬打ちする筬３を備えている。
【００２３】
その筬３は、所謂変形筬であって、凹部を有する変形の筬羽４を多数枚列設させたかたちで構成されている。その変形筬３について、それ自体は周知の構成であるため厳密な説明は省略するが、各筬羽４は、長手方向における略中央部に凹部が形成されている。その上で、各筬羽４が多数枚列設されると共に上下のリードチャンネル５、６で一体化されることで、その変形筬３が構成されている。そして、変形筬３は、そのように多数枚の筬羽４が列設されることで、各筬羽４の凹部により形成された緯糸案内溝７を有している。
【００２４】
そして、変形筬３は、織機上においては、下側のリードチャンネル６においてリードホルダ８に取り付けられ、リードチャンネル５、６の長手方向（変形筬３の幅方向）が織機の幅方向（織幅方向）と一致するように設けられている。また、空気噴射式織機においては、メインノズル１もそのリードホルダ８に取り付けられており、そのメインノズル１は、リードホルダ８上において、変形筬３の給糸側に配置されている。
【００２５】
また、各サブノズル２は、ノズルホルダ９に取り付けられると共に、そのノズルホルダ９がリードホルダ８に取り付けられることで、変形筬３に対する前方でリードホルダ８に対し固定的に配置されるかたちで設けられていている。なお、織機上（リードホルダ８上）において複数設けられるサブノズル２は、織幅方向（変形筬３の幅方向）において等間隔に配置されている。また、各サブノズル２は、その噴射孔１０が緯糸案内溝７を向くように配置されている。
【００２６】
次に、本発明の空気噴射式織機におけるサブノズル２の一実施例について、図３〜図６に基づいて説明する。
【００２７】
サブノズル２は、全体として中空状の棒体であって、一端が開放された円筒状の筒状部１１と、筒状部１１の他端側に形成されて筒状部１１の中心軸線１４に沿って伸びる中空管状の扁平部１２とを有するように構成されている。なお、以下の説明では、サブノズル２の筒状部１１における中心軸線１４を単に「中心軸線１４」という。
【００２８】
扁平部１２は、筒状部１１に対し、中心軸線１４と直交する方向において両側から押し潰したような形状を成しており、その中心軸線１４と直交する方向の断面形状が扁平な略長円形状を成すように形成されている。また、その扁平部１２は、中心軸線方向における反筒状部側の端部が閉塞されており、その閉塞された部分が先端部となっている。
【００２９】
その扁平部１２は、より詳しくは、内側面１５及び外側面１６が平面状に形成された後壁部１７と、その後壁部１７に対向すると共に後壁部１７と同様に内側面１５及び外側面１６が平面状に形成された前壁部１８とを有する。そして、扁平部１２は、その後壁部１７と前壁部１８とが筒状部１１側を除く周囲を側壁部１９によって繋がれるかたちで形成されている。
【００３０】
それらのうち、後壁部１７は、その内側面１５及び外側面１６のそれぞれがサブノズル２の中心軸線１４と略平行な方向に延在する単一の平面となっている。すなわち、内側面１５及び外側面１６が単一の平面で形成されている部分が後壁部１７である。
【００３１】
また、前壁部１８は、後壁部１７の幅方向と平行な方向に見て、先端部側において後壁部１７側に僅かに屈曲するように形成されている。したがって、前壁部１８は、その外側面１６が、筒状部１１側の第１の平面部２０と、第１の平面部２０よりも先端部側の第２の平面部２１であって第１の平面部２０に対し傾斜する第２の平面部２１とを有するように形成されている。但し、第１の平面部２０は、前述した後壁部１７と略平行な平面となっている。また、第２の平面部２１は、サブノズル２の先端部側へ向かうにつれて後壁部１７側へ近づく平面となっている。なお、前壁部１８において、その内側面１５は、その外側に位置する第１の平面部２０及び第２の平面部２１と略平行に形成されており、その肉厚は、全体に亘って略一様となっている。
【００３２】
また、側壁部１９は、前述のように、後壁部１７の周囲と前壁部１８の周囲とを繋ぐ部分である。より詳しくは、側壁部１９は、前記幅方向の両側のそれぞれにおいて後壁部１７の側端と前壁部１８の側端とを繋ぐ部分（側端部分）、及び、中心軸線方向における先端部側において後壁部１７の先端と前壁部１８の先端とを繋ぐ部分（先端部分２２）で形成されている。そして、その各部分はいずれも、その内側面１５及び外側面１６が外側へ膨出する略円弧形状を成すように形成されている。なお、本実施例では、中心軸線方向において、後壁部１７は、その先端縁（先端部側の縁）の位置が前壁部１８の先端縁２４よりも筒状部１１側に位置するように形成されている。したがって、先端部分２２は、その両先端縁を繋ぐべく、後壁部１７側へ延びるように形成されている。
【００３３】
また、その側壁部１９において、先端部分２２は、経糸の捌きを良くする目的で、正面から見て（前壁部１８の第１の平面部２０と正対するかたちで見て）、外側縁２３が円弧形状を成すように形成されている。さらに、その外側縁２３の内側に位置する内側面１５の部分である内側縁２９も、同様の略円弧形状に形成されている。
【００３４】
そして、前壁部１８は、前記正面から見て、その側壁部１９の先端部分２２の形状に合わせ、その先端縁２４が略円弧形状を成すように形成されている。但し、前壁部１８は、前記正面から見て、その先端縁２４が側壁部１９の内側縁２９よりも内側に位置するように形成されている。なお、側壁部１９は、前壁部１８及び後壁部１７を繋ぐと共に、前記のようにその内側面１５及び外側面１６が外側に膨出する略円弧形状を成すように形成されている。したがって、その側壁部１９における各部分の肉厚の方向は、前壁部１８における第２の平面部２１が形成されている部分の肉厚の方向とは異なっている。
【００３５】
因みに、以上で説明した本実施例のサブノズル２において、筒状部１１と扁平部１２との間の部分は、前記のように断面形状が異なる筒状部１１と扁平部１２とを繋ぐかたちで内側面１５及び外側面１６が中心軸線１４の方向に対して傾斜する傾斜部２５となっている。すなわち、本実施例のサブノズル２は、筒状部１１と扁平部１２との間に、そのように形成された傾斜部２５を有している。
【００３６】
以上で説明した空気噴射式織機のサブノズル２において、扁平部１２における前壁部１８側に噴射孔１０が形成されている。その上で、本実施例では、その噴射孔１０は、先端部分２２側で第２の平面部２１と側壁部１９とに跨がるように形成されている。そして、本実施例では、第２の平面部２１が本発明の先端側平面部となっている。以下では、そのように噴射孔１０が形成される本発明のサブノズル２について、その一例を本実施例の構成として、噴射孔１０を主体として説明する。また、以下の説明において、「上流側」とは、噴射孔１０の軸線２６の方向（以下、単に「軸線方向」とも言う。）における内側面１５側を指し、「下流側」とは、軸線方向における外側面１６側を指す。
【００３７】
先ず、本実施例のサブノズル２では、噴射孔１０は、その軸線２６の方向を前壁部１８における第２の平面部２１が形成されている部分（噴射孔形成部分）の肉厚の方向に概ね一致させた単一の孔によって形成されている。具体的には、本実施例のサブノズル２における噴射孔１０は、その軸線２６の方向が噴射孔形成部分の肉厚の方向に対して僅かに角度を為すように形成されている。但し、本発明においては、噴射孔１０の軸線２６の方向については、１０°程度の範囲内で噴射孔形成部分の肉厚の方向に対し角度を為している場合でも、噴射孔形成部分の肉厚の方向に対し概ね一致していると見なすこととする。
【００３８】
また、その噴射孔１０は、外側面１６側の部分であって内周面３４がその軸線２６と平行に形成された部分であるストレート部２７と、そのストレート部２７よりも内側面１５側の部分であってその内周面３４が内側面１５に向けて孔径を漸次拡径するように形成された部分であるテーパ部２８とから成るように形成されている。したがって、外側面１６に開口する噴射孔１０の孔径と内側面１５に開口する噴射孔１０の孔径とは異なっており、内側面１５側（上流側）の孔径の方が大きくなっている。
【００３９】
その上で、噴射孔１０は、サブノズル２の先端部側において、ストレート部２７が第２の平面部２１と側壁部１９とに跨がるように形成されている。具体的には、本実施例のサブノズル２における噴射孔１０は、前記正面から見て、ストレート部２７がサブノズル２の外側面１６において第２の平面部２１と側壁部１９における先端部分２２とに跨がる位置に開口するように形成されている。また、その噴射孔１０は、テーパ部２８の上流側端でサブノズル２の内側面１５に開口するが、その内側面１５に開口する部分である内側開口部３０と側壁部１９における先端部分２２の内側縁２９との位置関係において、両者の最も近い部分の間隔（距離）が０．０５ｍｍとなるように形成されている。
【００４０】
また、その噴射孔１０は、前記正面から見て、その孔の中心の位置が中心軸線１４よりも変形筬３側の位置となるように形成されている。より詳しくは、サブノズル２は、前記のように噴射孔１０を変形筬３における緯糸案内溝７に向けた状態で織機上（リードホルダ８上）に配置されるが、その向きは、サブノズル２と正対する緯糸案内溝７の位置よりも反給糸側へ噴射孔１０が指向する向きとされる。その上で、その噴射孔１０は、前記のように織機上に配置されたサブノズル２を前記正面から見て、ストレート部２７の外側面１６に開口する部分である外側開口部３１における、内側縁２９と平行な先端部分２２の外側縁２３に対し最も近い部分が、中心軸線１４よりも変形筬３側に位置するように形成されている。
【００４１】
さらに、その噴射孔１０において、ストレート部２７は、サブノズル２を前記正面から見たときの前記最も近い部分から中心軸線１４側へ延びる直線（仮想線３２）であって外側開口部３１の中心３３を通る直線と中心軸線１４との交点までの前記最も近い部分からの距離よりもその半径が小さい（図示の例では略１／２）孔に形成されている。より具体的には、本実施例のサブノズル２では、その外側開口部３１の半径が０．８ｍｍ（孔径が１．６ｍｍ）となるように噴射孔１０が形成されている。したがって、その噴射孔１０は、サブノズル２を前記正面から見て、その孔（外側開口部３１）の中心３３の位置が中心軸線１４よりも変形筬３側に位置するように形成されたものとなっている。
【００４２】
そして、そのように噴射孔１０が形成されたサブノズル２では、前記のように噴射孔１０の軸線２６の方向が噴射孔形成部分の肉厚の方向に概ね一致していることから、噴射孔１０は、その軸線２６が側壁部１９における先端部分２２の肉厚の方向に対して角度を為した状態となっている。それにより、噴射孔１０は、その側壁部１９に穿設された部分の内周面３４の軸線方向における長さが噴射孔形成部分に穿設された部分の内周面３４の軸線方向における長さよりも長いかたちとなる。すなわち、前記のように形成された本実施例のサブノズル２における噴射孔１０は、第２の平面部のみに開口するように形成された場合の噴射孔と比べ、その内周面３４において、軸線方向における長さが長い部分を含むように形成されたものとなっている。
【００４３】
しかも、その噴射孔１０は、前記のように上流側がテーパ部２８となるように形成されている。それにより、前記の噴射孔１０における側壁部１９に穿設された部分の内周面３４の軸線方向の長さは、噴射孔がそのようなテーパ部を有していない場合と比べ、より長いものとなる。より詳しくは、噴射孔１０は、前記のように、その軸線２６の方向が側壁部１９の肉厚の方向に対しては角度を為すものとなっている。そのため、噴射孔１０における側壁部１９に穿設された部分では、その上流側がテーパ部２８となるように形成されることに伴い、噴射孔がそのようなテーパ部を有していない場合と比べ、その内側開口部３０の軸線方向における位置がより上流側の位置となる。したがって、その噴射孔１０における側壁部１９に穿設された部分の内周面３４の軸線方向の長さは、噴射孔がそのようなテーパ部を有していない場合と比べ、より長いものとなる。
【００４４】
以上で説明した空気噴射式織機のサブノズル２によれば、前記のように外側開口部３１が第２の平面部２１と側壁部１９とに跨がる配置となるように噴射孔１０が形成されている結果として、その噴射孔１０は、外側開口部が第２の平面部のみに開口するように形成された噴射孔と比べ、その内周面３４の一部が軸線方向において長く形成されたものとなる。しかも、本実施例では、その噴射孔１０は前記のように上流側がテーパ部２８となるように形成されているので、噴射孔１０における側壁部１９に穿設された部分の内周面３４の軸線方向における長さは前記のようにより長いものとなっている。それにより、噴射孔１０から噴射される空気流の集束性が高まるので、サブノズル２に供給する圧縮空気の圧力を高めることなくより大きい緯糸の搬送力を得ることができる。言い換えれば、そのサブノズル２によれば、より低い圧力の圧縮空気によって所望の搬送力を得ることができる。したがって、緯入れのための空気消費量を低減することができる。
【００４５】
また、本実施例のサブノズル２では、前記のようにテーパ部２８の内側面１５に開口する部分である内側開口部３０と側壁部１９における先端部分２２の内側縁２９とがその最も近い部分において０．０５ｍｍの距離となるように噴射孔１０が形成されており、それにより、前記した緯糸の搬送力を向上させるという効果を、より高い程度で実現することができる。より詳しくは、以下の通り。
【００４６】
図７は、本発明に基づいて噴射孔１０が形成されたサブノズル２について、緯糸の搬送力に大きく関連するサブノズル２から噴射される圧縮空気の風速と、前記最も近い部分の距離（以下、「最短距離」と言う。）との関係を示すグラフであり、図７の（ａ）では、外側開口部３１の孔径が１．６ｍｍとなるように噴射孔１０が形成された本実施例のサブノズル２について、その関係が示されている。なお、そのグラフでは、サブノズル２に供給される圧縮空気の圧力（供給圧力）を異なる２種類（０．３ＭＰａ、０．４ＭＰａ）に設定した場合のそれぞれについて示している。
【００４７】
さらに、そのグラフにおいて、横軸は前記最短距離Ｃであるが、縦軸は、前記した風速そのものでは無く、風速比率をパラメータとして採用している。なお、その風速比率とは、同じ供給圧力において、比較用のサブノズルの噴射孔から噴射された空気流の流速（風速）を１００とした場合の比率である。また、その風速は、変形筬３の緯糸案内溝７内における前記空気流が作用する領域内の所定の位置において測定されたものである。そして、この場合の比較用のサブノズルは、前記正面から見て、外側開口部の中心の位置が中心軸線上に位置し、且つ、外側開口部が第２の平面部（先端側平面部）のみに開口するように噴射孔が形成された所謂一般的な構成のサブノズルである。
【００４８】
そして、図７の（ａ）のグラフから読み取れるように、最短距離Ｃが０．０５ｍｍとなるように噴射孔１０が形成された本実施例のサブノズル２は、前記２種類のいずれの供給圧力の場合でも、その風速比率が１１０以上の値となる。すなわち、本実施例のサブノズル２は、最短距離Ｃが０．０５ｍｍとなるように噴射孔１０が形成された構成により、その風速比率が１０％大きくなる。したがって、本実施例のサブノズル２では、前記した緯糸の搬送力を向上させるという効果を、より高い程度で実現することができる。
【００４９】
以上では、本発明による空気噴射式織機のサブノズル２の一実施形態（以下、「前記実施例」と言う）について説明したが、本発明は前記実施例において説明したものに限定されるものではなく、以下のような別の実施形態（変形例）での実施も可能である。
【００５０】
（１）前記実施例では、外側開口部の孔径が１．６ｍｍとなるように噴射孔が形成されている。しかし、本発明のサブノズルは、外側開口部の孔径がそのように形成されたものに限らず、外側開口部が先端側平面部と側壁部とに跨がるように噴射孔が形成されたものであれば、外側開口部の孔径が前記実施例と異なる孔径となるように噴射孔が形成されたものであってもよい。
【００５１】
（最短距離Ｃ）
（２）前記実施例では、サブノズルは、最短距離Ｃが０．０５ｍｍとなるように噴射孔が形成された構成となっている。しかし、本発明のサブノズルは、そのような構成のものに限らず、例えば、最短距離Ｃが０．２５ｍｍ以下となるように噴射孔が形成されたものであってもよい。その構成の場合でも、前記した緯糸の搬送力を向上させるという効果を、高い程度で実現することができる。詳しくは、以下の通り。
【００５２】
前記した図７（ａ）のグラフから理解されるように、供給圧力が０．３ＭＰａおよび０．４ＭＰａのいずれの場合にも、最短距離Ｃが小さいほど風速比率が大きくなるといった概ね逆比例的な傾向となっている。
【００５３】
ところで、一般に、製織工場におけるエネルギー節約の一環として、空気噴射式織機においては空気消費量を削減することが求められている。そして、その削減量に関しては、風速比率を５％以上大きくすることが求められている。それを踏まえると、前記２種類のいずれの供給圧力の場合でも、最短距離Ｃが０．２５ｍｍ以下であれば、風速比率が１０５よりも大きい値となるということが、その図７の（ａ）のグラフから読み取れる。
【００５４】
また、図７の（ｂ）は、外側開口部の半径が０．８５ｍｍ（孔径が１．７ｍｍ）となるように噴射孔が形成された本発明のサブノズルについて、風速比率と最短距離Ｃとの関係を示すグラフであり、外側開口部の孔径が前記実施例の孔径とは異なるサブノズルについての前記関係を示している。なお、そのグラフでも、図７の（ａ）と同様に、供給圧力を異なる２種類（０．３ＭＰａ、０．４ＭＰａ）に設定した場合のそれぞれについて示している。
【００５５】
そして、その図７の（ｂ）のグラフにおいても、前記２種類のいずれの供給圧力の場合でも、最短距離Ｃが小さいほど風速比率が大きくなるといった概ね逆比例的な傾向となっており、また、最短距離Ｃが０．２５ｍｍ以下であれば、風速比率が１０５よりも大きい値となるということがそのグラフから読み取れる。
【００５６】
以上から理解されるように、本発明によるサブノズルにおいて、最短距離Ｃが０．２５ｍｍ以下であれば、風速比率が１０５よりも大きい値となるということが図７の（ａ）および（ｂ）のいずれのグラフからも読み取れる。すなわち、最短距離Ｃが０．２５ｍｍ以下となるようにサブノズルの噴射孔を形成することで、外側開口部の孔径に関係なく、５％以上という前記した求められている割合で風速比率の向上を図ることが可能となる。したがって、そのサブノズルによれば、前記した緯糸の搬送力を向上させるという効果が、風速比率が５％以上向上するという高い程度で実現される。
【００５７】
（３）以上では、本発明のサブノズルについて、その噴射孔が最短距離Ｃを基準とした配置で形成された例としてその構成を説明した。但し、前記のように本発明のサブノズルでは、その噴射孔における側壁部に穿設された部分の内周面の軸線方向における長さがより長いものとなることで前記のような効果が得られるものであり、その効果の程度は、その噴射孔における側壁部に穿設された部分の全体に対する割合（面積割合）に応じたものとなる。一方で、前記のように最短距離Ｃを基準とした配置で噴射孔が形成されている場合、前記面積割合は、最短距離Ｃが同じであっても、外側開口部の孔径によって異なることとなる。そこで、その孔径に関係なく所定の効果が得られるようにするために、本発明のサブノズルにおいては、噴射孔を形成するにあたり、面積割合を基準としてその配置を決定し、それに基づいてその噴射孔を形成するようにしてもよい。
【００５８】
その上で、その面積割合が３％以上となるように噴射孔を形成することにより、そのサブノズルは、前記した緯糸の搬送力を向上させるという効果を、外側開口部の孔径に関係なく、常に高い程度で実現することができるものとなる。詳しくは、以下のとおり。
【００５９】
図８は、本発明に基づいて噴射孔が形成されたサブノズルについて、風速比率と面積割合との関係を示すグラフであり、横軸のパラメータが面積割合である点が図７と異なっている。なお、図８のグラフでは、図７と同様に、サブノズルに供給される圧縮空気の圧力を２種類（０．３ＭＰａ、０．４ＭＰａ）に設定した場合のそれぞれについて示している。
【００６０】
因みに、外側開口部の孔径が１．６ｍｍとなるようにすると共に最短距離Ｃが０．０５ｍｍとなるように噴射孔が形成された前記実施例のサブノズルでは、前記した面積割合は７％である。そして、そのサブノズルでは、前記実施例でも説明したように風速比率が１０％大きくなるが、当然ながら、面積割合（７％）で見てもそれと同じ風速比率となることは、図８のグラフから理解される通りである。すなわち、面積割合が７％となるように噴射孔が形成されたサブノズルでは、風速比率が１０％大きくなる。
【００６１】
その上で、空気噴射式織機における空気消費量の削減に関し、前記のように風速比率を５％以上大きくすることが求められていることを踏まえると、前記２種類のいずれの外側開口部の孔径の場合でも、面積割合が３％以上であれば、風速比率が１０５よりも大きい値となるということが、その図８のグラフから読み取れる。したがって、そのサブノズルによれば、前記した緯糸の搬送力を向上させるという効果が、外側開口部の穴径に関係なく、風速比率が５％以上向上するという高い程度で実現される。
【００６２】
なお、噴射孔は、その面積割合が大きくなるのに伴い、側壁部の先端部分における内側縁により近接した配置で形成されるものとなる。そして、噴射孔は、その面積割合が２０％を上回るようなものとなった場合に、その配置が側壁部の先端部分における内側縁に接近し過ぎた配置となり、その加工が困難なものとなる場合がある。そのため、噴射孔は、その加工の困難性を考慮すると、面積割合が２０％以下であることが好ましい。
【００６３】
（４）外側開口部が側壁部と先端側平面部とに跨がるように形成される噴射孔の配置について、前記実施例のサブノズルでは、噴射孔は、その外側開口部のうちの側壁部側の部分が側壁部における先端部分に開口するように形成されており、全体としてサブノズルの先端側に位置するように形成されている。しかし、本発明のサブノズルにおいては、噴射孔は、第１の平面部よりも先端部側に形成されていればよく、前記の側壁部側の部分が側壁部における先端部分に開口するように形成されていなくてもよい。
【００６４】
すなわち、従来の一般的なサブノズルでも、噴射孔が形成される位置はサブノズルの先端側に限られておらず、そのサブノズルにおける先端部付近よりも筒状部１１側に噴射孔が形成されているものもある。したがって、本発明のサブノズルにおいても、噴射孔が形成される位置は、前記実施例のようなサブノズルの先端側の位置に限らず、外側開口部のうちの側壁部側の部分が側壁部における先端部分よりも筒状部１１側に開口するような位置であってもよい。
【００６５】
（５）前記実施例では、噴射孔は、外側面側にストレート部を有するように形成されると共に、その上流側にテーパ部を有するように形成されている。しかし、本発明のサブノズルにおいては、噴射孔は、そのように上流側にテーパ部を有するように形成されたものに限らず、その軸線方向に亘ってストレート状に形成されていてもよい。そして、そのようなサブノズルでは、内側開口部の大きさは前記実施例のサブノズルにおけるそれとは異なるものとなるが、前記した最短距離Ｃは、その場合における内側開口部と側壁部の内側縁との間の最も近い部分の距離となる。
【００６６】
また、噴射孔は、噴射孔の軸線方向に亘ってその内周面が内側面に向けて孔径を漸次拡径されるテーパ部として形成されたものであってもよい。そして、噴射孔がそのように形成されたサブノズルでは、前記実施例のようなストレート部を有するものと比べて、噴射孔の側壁部に穿設された部分の内周面の前記軸線方向における長さがより長いものとなる。
【００６７】
但し、前記のように噴射孔における上流側の部分にテーパ部を有する構成の場合に、サブノズルの先端の肉厚が一様のままになっていると、そのテーパ部の拡径の度合いによっては、テーパ部の内周面とサブノズル先端の内側面との間に段差が生じる場合がある。そこで、そのような段差が生じる場合には、図９に示すように、その段部の生じるサブノズルの先端の内側の位置に、テーパ部の内周面とサブノズル先端の内側面とに連続する曲面状の斜面３５を形成するようにしても良い。
【００６８】
（６）前記実施例では、噴射孔は、前記正面から見て、サブノズルの表面に開口した部分である開口部が円形に形成されたものとなっているが、本発明のサブノズルにおいては、噴射孔は、開口部を円形以外の形状に形成されたものであってもよい。例えば、前述のように軸線方向に亘って内周面が内側面に向けて孔径を暫時拡径されるように形成されたサブノズルの場合に、その噴射孔は、前記正面から見て、その側壁部に穿設された部分における外側開口部の形状が円形以外の形状となり、そのような噴射孔を有するサブノズルも本発明のサブノズルである。
【００６９】
また、本発明のサブノズルは、単一の孔が噴射孔として機能するものに限らず、例えば、噴射孔が形成されるべき領域に複数の孔が形成され、その複数の孔の集合が噴射孔として機能するように構成されたものであってもよい。その場合、サブノズルの表面において、その複数の孔の開口した領域は噴射孔における外側開口部に相当する領域となり、その領域の中心の位置が外側開口部の中心に相当する位置となる。また、そのようなサブノズルでは、その内側面において、その複数の孔の開口した領域が内側開口部に相当する領域となり、前記した最短距離Ｃは、その領域と側壁部の内側縁との間の最も近い部分の距離となる。
【００７０】
（７）前記実施例では、前壁部は、外側面に筒状部側の第１の平面部と第１の平面部よりも先端部側の第２の平面部（先端側平面部）とを有するように形成されている。しかし、本発明の前提とするサブノズルにおいて、前壁部は、そのように形成されたものに限らない。例えば、前壁部は、第１の平面部に代えて、曲面状に形成された第１の面部を有するように形成されていてもよい。また、前壁部は、第１の平面部（第１の面部）を有さない構成であってもよく、サブノズルにおける先端部の側に先端側平面部のみが後壁部に対向するかたちで形成されていてもよい。
【００７１】
（８）前記実施例では、側壁部は、その内側面および外側面が外側へ膨出する略円弧形状を為すように形成されている。しかし、本発明の前提とするサブノズルにおいて、側壁部は、そのように形成されたものに限らない。例えば、側壁部は、先端側平面部に連続する部分が先端側平面部に対して傾斜する平面となるように形成されていてもよい。その場合でも、外側開口部や外側開口部に相当する領域がその平面と先端側平面部とに跨がる配置となるように形成された噴射孔は、先端側平面部のみに開口するように形成されたものと比べて、その平面側に形成された部分の内周面が軸線方向に長く形成されたものとなる。
【００７２】
（９）前記実施例では、後壁部は、その内側面及び外側面が単一の平面で形成されている。しかし、本発明の前提とするサブノズルにおいて、後壁部は、そのように形成されたものに限らない。例えば、後壁部は、その内側面及び外側面が複数の平面を為すように形成されていてもよいし、その内側面及び外側面が曲面に形成されていてもよい。
【００７３】
さらに、本発明は、以上で説明したいずれの実施形態にも限定されるものではなく、その趣旨を逸脱しない限りにおいて適宜に変更可能である。
【符号の説明】
【００７４】
１  メインノズル
２  サブノズル
３  変形筬
４  筬羽
７  緯糸案内溝
８  リードホルダ
９  ノズルホルダ
１０  噴射孔
１１  筒状部
１２  扁平部
１４  中心軸線
１５  内側面
１６  外側面
１７  後壁部
１８  前壁部
１９  側壁部
２０  第１の平面部
２１  第２の平面部（先端側平面部）
２２  先端部分
２３  外側縁
２４  先端縁
２６  軸線
２７  ストレート部
２８  テーパ部
２９  内側縁
３０  内側開口部
３１  外側開口部
３３  中心
Ｅ  先端側
Ｆ  筒状部側
【図１】
2020063546.tif 000003
【図２】
2020063546.tif 000004
【図３】
2020063546.tif 000005
【図４】
2020063546.tif 000006
【図５】
2020063546.tif 000007
【図６】
2020063546.tif 000008
【図７】
2020063546.tif 000009
【図８】
2020063546.tif 000010
【図９】
2020063546.tif 000011